(57)【要約】【課題】  引き込み装置と自閉装置を両方組み込み、それぞれの利点を発揮させつつ、全閉状態から引戸を開く初期動作区間で初期開力が小さくても引戸を開くことが可能な引戸の開閉装置を提供する。【解決手段】  閉止方向へ閉止力を引戸１に付与する自閉装置Ａと、全閉状態から作動距離Ｌの位置まで引戸を開く際に閉止方向への弾性力を蓄積し、開状態から閉止方向へ移動してきた引戸を作動距離Ｌの位置から全閉状態まで蓄積弾性力によって閉止動作を支援する引き込み装置Ｂとを備えた引戸の開閉装置であって、自閉装置と引戸の間に、全閉状態から非作動距離Ｄの位置まで引戸を開く際に自閉装置による閉止力が作用しないように遅延機構Ｃを設けるとともに、作動距離Ｌより非作動距離Ｄを短く設定した。【選択図】        図１
2018131769.tif 000002
【特許請求の範囲】
【請求項１】
閉止方向へ閉止力を引戸に付与する自閉装置と、全閉状態から作動距離Ｌの位置まで引戸を開く際に閉止方向への弾性力を蓄積し、開状態から閉止方向へ移動してきた引戸を作動距離Ｌの位置から全閉状態まで蓄積弾性力によって閉止動作を支援する引き込み装置とを備えた引戸の開閉装置であって、
前記自閉装置と引戸の間に、全閉状態から非作動距離Ｄの位置まで引戸を開く際に該自閉装置による閉止力が作用しないように遅延機構を設けるとともに、作動距離Ｌより非作動距離Ｄを短く設定したことを特徴とする引戸の開閉装置。
【請求項２】
前記遅延機構は、引戸の移動方向に向けて連係部材を配置し、該連係部材に引戸の移動方向に延びたガイド溝を形成し、引戸に固定した作動ピンを前記ガイド溝内で前記非作動距離Ｄだけ相対的にスライド移動可能とし、前記自閉装置の作動部に前記連係部材を連結して、該連係部材を介して閉止力を引戸に伝達する構造であり、全閉状態で前記作動ピンを前記ガイド溝内の戸先側端に位置させてなる請求項１記載の引戸の開閉装置。
【請求項３】
前記自閉装置は、引戸枠に定荷重巻きバネを固定し、該定荷重巻きバネから引き出したワイヤーからなる前記作動部の端部を前記連係部材に連結し、全閉状態から非作動距離Ｄの位置までを除き、該連係部材を介して常に一定の閉止力を引戸に伝達する構造である請求項２記載の引戸の開閉装置。
【請求項４】
引戸枠の上部に設けたレールに、引戸の上端の戸先側と戸尻側に設けた吊車を走行可能に支持し、前記引き込み装置は前記レールの溝内に配置するとともに、前記遅延機構を構成する連係部材は、前記引戸の上端と前記レールの間に配置してなる請求項２又は３記載の引戸の開閉装置。
【発明の詳細な説明】
【技術分野】
【０００１】
本発明は、引戸の開閉装置に係わり、更に詳しくは自閉機構を備えた引戸の開閉装置に関するものである。
【背景技術】
【０００２】
従来から引戸枠の上部に設けたレールに、引戸の上端の戸先側と戸尻側に設けた吊車を走行可能に支持した引戸の開閉装置は各種提供されている。そして、特許文献１に示すように、引戸に常に一定の閉止力を付与して自動的に閉じることができる自閉装置を組み込んだものが提供されている。一方、特許文献２に示すように、全閉状態から一定距離の位置まで引戸を開く際に閉止方向への弾性力を蓄積し、開状態から閉止方向へ移動してきた引戸を一定距離の位置から全閉状態まで蓄積弾性力によって閉止動作を支援する引き込み装置を組み込んだものも提供されている。
【０００３】
これら自閉装置と引き込み装置は、それぞれ利点があるが、それらを両方組み込んだ引戸の開閉装置はこれまで提供されていない。その理由として、全閉状態から引戸を開く初期動作区間で、引き込み装置と自閉装置の負荷が重なっているため、その区間では大きな開力を必要として使用勝手が悪く、使用者が非常に重く感じる。
【先行技術文献】
【特許文献】
【０００４】
【特許文献１】特開２０１１−０９９２７６号公報
【特許文献２】特許第４３６８４０７号公報
【発明の概要】
【発明が解決しようとする課題】
【０００５】
そこで、本発明が前述の状況に鑑み、解決しようとするところは、引き込み装置と自閉装置を両方組み込み、それぞれの利点を発揮させつつ、全閉状態から引戸を開く初期動作区間で初期開力が小さくても引戸を開くことが可能な引戸の開閉装置を提供する点にある。
【課題を解決するための手段】
【０００６】
本発明は、前述の課題解決のために、以下に構成する引戸の開閉装置を提供する。
【０００７】
（１）
閉止方向へ閉止力を引戸に付与する自閉装置と、全閉状態から作動距離Ｌの位置まで引戸を開く際に閉止方向への弾性力を蓄積し、開状態から閉止方向へ移動してきた引戸を作動距離Ｌの位置から全閉状態まで蓄積弾性力によって閉止動作を支援する引き込み装置とを備えた引戸の開閉装置であって、
前記自閉装置と引戸の間に、全閉状態から非作動距離Ｄの位置まで引戸を開く際に該自閉装置による閉止力が作用しないように遅延機構を設けるとともに、作動距離Ｌより非作動距離Ｄを短く設定したことを特徴とする引戸の開閉装置。
【０００８】
（２）
前記遅延機構は、引戸の移動方向に向けて連係部材を配置し、該連係部材に引戸の移動方向に延びたガイド溝を形成し、引戸に固定した作動ピンを前記ガイド溝内で前記非作動距離Ｄだけ相対的にスライド移動可能とし、前記自閉装置の作動部に前記連係部材を連結して、該連係部材を介して閉止力を引戸に伝達する構造であり、全閉状態で前記作動ピンを前記ガイド溝内の戸先側端に位置させてなる（１）記載の引戸の開閉装置。
【０００９】
（３）
前記自閉装置は、引戸枠に定荷重巻きバネを固定し、該定荷重巻きバネから引き出したワイヤーからなる前記作動部の端部を前記連係部材に連結し、全閉状態から非作動距離Ｄの位置までを除き、該連係部材を介して常に一定の閉止力を引戸に伝達する構造である（２）記載の引戸の開閉装置。
【００１０】
（４）引戸枠の上部に設けたレールに、引戸の上端の戸先側と戸尻側に設けた吊車を走行可能に支持し、前記引き込み装置は前記レールの溝内に配置するとともに、前記遅延機構を構成する連係部材は、前記引戸の上端と前記レールの間に配置してなる（２）又は（３）記載の引戸の開閉装置。
【発明の効果】
【００１１】
以上にしてなる本発明の引戸の開閉装置は、以下に示す効果を奏する。
【００１２】
（１）の構成によれば、引き込み装置と自閉装置を併用したので、開放した引戸を両装置が連係して自動的に全閉状態にすることができ、また全閉状態から引戸を開く際に自閉装置は非作動距離Ｄの位置まで遅延機構によって作動を遅らせることができ、もって引戸を軽く開くことができるのである。つまり、全閉状態から引戸を開く際に、引き込み装置に閉止方向への弾性力を蓄積するが、引戸は非作動距離Ｄだけ開く間にある程度加速が付くので、この慣性力を利用することで引き込み装置と自閉装置の負荷が重なった開力の重い区間を通過させることができ、その後は自閉装置の負荷だけになるので、使用者の感覚として重く感じさせないようにすることができる。一方、全開状態若しくは途中の開状態から引戸を閉じる際には、引戸の把手から手を離せば、自閉装置による閉止力によって引戸は閉止方向へ自動的に移動するが、引き込み装置が作動した直後に自閉装置の閉止力が作用しなくなるので、ゆっくりと全閉状態まで閉じることができる。ここで、引き込み装置にダンパー機能が備わっていると、自閉装置によって加速された引戸が引き込み装置の作動と共に減速されて閉じるので、全閉時の衝撃を更に和らげることができる。また、本発明は、引戸が重量のあるガラス引戸等である場合に特に効果的である。
【００１３】
（２）の構成によれば、連係部材と作動ピンを追加するだけで、全閉状態から非作動距離Ｄの位置まで引戸を開く際に自閉装置による閉止力が作用しないように遅延機構を備えさせることができる。
【００１４】
（３）の構成によれば、全閉状態から非作動距離Ｄの位置までを除き、該連係部材を介して常に一定の閉止力を引戸に伝達することができる。
【００１５】
（４）の構成によれば、遅延機構を構成する連係部材を配置するための特別な空間は不要であり、引戸には上端に作動ピンを固定するだけで良く、既存の引戸の開閉装置に最小限の設計変更を行うだけで容易に組み込むことができる。
【図面の簡単な説明】
【００１６】
【図１】本発明に係る引戸の開閉装置を組み込んだ引戸設備の簡略正面図である。
【図２】図１のＸ−Ｘ線断面図である。
【図３】図１のＹ−Ｙ線断面図である。
【図４】引戸設備の横断平面図であり、（ａ）は全閉状態の横断平面図、（ｂ）は全開状態の横断平面図である。
【図５】引戸の全閉状態の部分縦断正面図である。
【図６】引戸を非作動距離Ｄの位置まで開いた状態の部分縦断正面図である。
【図７】引戸の上部構造と自閉装置及び遅延機構を示す分解斜視図である。
【図８】全閉状態の引戸と自閉装置及び遅延機構の関係を示す部分斜視図である。
【図９】引戸を非作動距離Ｄの位置まで開いた状態の引戸と自閉装置及び遅延機構の関係を示す部分斜視図である。
【図１０】引戸を更に開いた状態の引戸と自閉装置及び遅延機構の関係を示す部分斜視図である。
【図１１】図５の部分拡大縦断正面図である。
【図１２】引戸枠と壁パネルとの他の関係を示す部分横断面図である。
【図１３】引戸枠と壁パネルとの他の関係を示す部分横断面図である。
【発明を実施するための形態】
【００１７】
次に、添付図面に示した実施形態に基づき、本発明を更に詳細に説明する。図１は本発明に係る引戸の開閉装置を組み込んだ引戸設備を示し、図２〜図４は基本構造の詳細を示し、図５〜図１１は本発明の引戸の開閉装置の詳細を示し、図中符号１は引戸、２は引戸枠、３は戸袋パネル、４は欄間パネル、５は壁面パネルをそれぞれ示している。
【００１８】
本実施形態では、前記引戸１と戸袋パネル３は、透光性のガラス板を枠体で保持した構造となっており、前記戸袋パネル３は引戸枠２に移動不能に保持され、前記引戸１が前記戸袋パネル３と重なるように横方向へスライド開閉するようになって、いわゆる片開き方式のものである。勿論、前記戸袋パネル３の代わりに、二枚目の引戸を設け、両引戸を互いに引き違い可能に設けた両開き方式であっても構わない。
【００１９】
前記引戸枠２は、門型であり、戸先側枠６と戸尻側枠７の上端間に上枠８を渡設した構造であり、該上枠８の下方開放した空間９内にレール１０を内蔵している。前記レール１０は、下面の中央部に開口溝を備えた断面略Ｃ字形の長尺部材であり、戸先側の端部を除き前記上枠８の略全長に設けている。
【００２０】
そして、前記引戸１は、戸先側の縦枠１１と戸尻側の縦枠１２の上下端間に上部枠１３と下部枠１４とを連結して構成した枠体間にガラス板１５を保持した構造であり、戸先側の縦枠１１には表裏両側に把手１６，１６を設けている。本実施形態の引戸１は、ガラス引戸であり、重量があるため通常の引戸よりも自閉のために大きな閉止力を必要とするので、初期開力を小さくすることは使用勝手において重要である。
【００２１】
前記引戸枠２は、床面Ｆから天井Ｓに立設した支柱１７，１７に、前記戸先側枠６と戸尻側枠７を嵌合するとともに、ネジ止め固定し、天井Ｓと上枠８との間に前記欄間パネル４を装着し、更に前記支柱１７，１７を介して前記壁面パネル５，５をそれぞれ連結している。ここで、前記欄間パネル４及び壁面パネル５は、通常の間仕切パネルを用いているので、詳細は省略する。
【００２２】
そして、前記引戸１の上部枠１３の上端の戸先側と戸尻側に設けた吊車１８，１８を、前記レール１０に走行可能に支持するとともに、該引戸１の下部枠１４の下面側に沿って設けた凹溝１９内に、全閉状態の引戸１の戸尻側に対応する床面Ｆに突設した垂直回転軸を有するガイドローラ２０を受け入れて、吊り下げ状態の引戸１の下部を安定に開閉案内している。
【００２３】
前記戸袋パネル３は、ガラス板２１の一側縁部を前記戸尻側枠７に保持するとともに、上縁部を前記上枠８に保持し、更にガラス板２１の下縁部を床面Ｆに敷設した地レール部材２２で支持するとともに、他側縁部を縦枠部材２３で支持し、該縦枠部材２３は前記床面Ｆと前記上枠８間に立設し、上下端部を上枠８と地レール部材２２に連結している。
【００２４】
また、前記引戸１の戸先側の縦枠１１の端部には弾性材料からなる戸当り部材２４を設けるとともに、前記戸先側枠６の側面に前記戸当り部材２４を受け入れて気密性を高める接合溝２５を形成し、更に前記引戸１が全開状態において前記戸尻側の縦枠１２を当止するクッション部材２６を前記戸尻側枠７の側面に取付けている。
【００２５】
本発明に係る引戸の開閉装置は、図５〜図１１に示すように、閉止方向へ閉止力を引戸１に付与する自閉装置Ａと、全閉状態から作動距離Ｌの位置まで引戸１を開く際に閉止方向への弾性力を蓄積し、開状態から閉止方向へ移動してきた引戸１を作動距離Ｌの位置から全閉状態まで蓄積弾性力によって閉止動作を支援する引き込み装置Ｂとを備えた引戸の開閉装置であって、前記自閉装置Ａと引戸１の間に、全閉状態から非作動距離Ｄの位置まで引戸１を開く際に該自閉装置Ａによる閉止力が作用しないように遅延機構Ｃを設けるとともに、作動距離Ｌより非作動距離Ｄを短く設定したことを特徴とする。
【００２６】
具体的には、前記遅延機構Ｃは、図５及び図１１に示すように、引戸１の移動方向に向けて連係部材２７を配置し、該連係部材２７に引戸１の移動方向に延びたガイド溝２８を形成し、引戸１に固定した作動ピン２９を前記ガイド溝２８内で前記非作動距離Ｄだけ相対的にスライド移動可能とし、前記自閉装置Ａの作動部３０に前記連係部材２７を連結して、該連係部材２７を介して閉止力を引戸１に伝達する構造であり、全閉状態で前記作動ピン２９を前記ガイド溝２８内の戸先側端に位置させている。前記作動ピン２９が、前記ガイド溝２８内の戸先側端から戸尻側端まで移動する距離が前記非作動距離Ｄである。
【００２７】
更に詳しくは、前記連係部材２７は、図７に示すように、戸先側を除く本体部が側面開放した断面略コ字形の長尺部材であり、下面板３１に長手方向に沿って二対の長孔３２，３２を形成し、該長孔３２に前記ガイド溝２８を形成したスライド部材３３をそれぞれ嵌合状態でネジ止めして固定し、戸先側の端部には前記自閉装置Ａの作動部３０を連結するための連結孔３４を形成し、前記引戸１の上部枠１３の上面に沿って開閉方向に向けて配置する。一方、前記引戸１の上部枠１３の上面で、戸先側と戸尻側には、前記吊車１８を取付けるための取付台座３５をそれぞれネジ止め固定し、両取付台座３５，３５の間であって、前記ガイド溝２８，２８に対応させて前記作動ピン２９を上方へ向けて突設している。前記作動ピン２９は、前記スライド部材３３のガイド溝２８に挿通する軸部３６Ａと該ガイド溝２８の上縁に係止するフランジ部３６Ｂを有するブッシュ３６を取付ネジ３７で前記引戸１の上部枠１３の上面に螺合して取付けている。前記遅延機構Ｃを構成する連係部材２７は、前記引戸１の上端と前記レール１０の間に配置するが、前記引戸１の上部枠１３の上部は、前記引戸枠２の上枠８の空間９内に位置するので、前記連係部材２７は直視できない位置にある。
【００２８】
ここで、前記自閉装置Ａは、引戸枠２に定荷重巻きバネ３８を固定し、該定荷重巻きバネ３８から引き出したワイヤー３９からなる前記作動部３０の端部を前記連係部材２７の連結孔３４に連結し、全閉状態から非作動距離Ｄの位置までを除き、該連係部材２７を介して常に一定の閉止力を引戸１に伝達する構造である。前記定荷重巻きバネ３８は、常に一定の荷重で前記ワイヤー３９を巻き込む公知の構造のものであるので、詳細な説明は省略する。前記定荷重巻きバネ３８は、前記レール１０の存在しない前記上枠８の空間９内に固定している。前記引戸１を開き始めて非作動距離Ｄの区間では、前記作動ピン２９が、前記スライド部材３３のガイド溝２８の戸先端部から戸尻端部まで移動し、負荷は全くかからない。そして、前記作動ピン２９が、前記スライド部材３３のガイド溝２８の戸尻端部に達した後は、該作動ピン２９とスライド部材３３が、一体となって開閉方向に移動し、前記定荷重巻きバネ３８からワイヤー３９を一定荷重の負荷のもと引き出すことになる。逆に、前記引戸１を閉止方向へ移動する際には、前記定荷重巻きバネ３８の一定荷重の引き込み力が前記ワイヤー３９とスライド部材３３及び作動ピン２９を介して引戸１に伝達し、前記ワイヤー３９が前記定荷重巻きバネ３８に引き込まれてしまうまで引戸１を閉止方向へ移動させる。尚、前記定荷重巻きバネ３８による閉止力が発生しなくなった状態は、前記引戸１が非作動距離Ｄだけ未だ開いた状態である。尚、本発明は、前記定荷重巻きバネ３８の代わりに、通常の巻きバネを用いることも可能である。その際に、定荷重巻きバネ３８又は通常の巻きバネは、負荷の強さを調整できるものを採用することが好ましい。
【００２９】
前記引き込み装置Ｂは、前述のように、全閉状態から作動距離Ｌの位置まで引戸１を開く際に閉止方向への弾性力を蓄積し、開状態から閉止方向へ移動してきた引戸１を作動距離Ｌの位置から全閉状態まで蓄積弾性力によって閉止動作を支援する公知の構造であり、
前記レール１０の溝内に配置する。通常、戸先側の前記吊車１８は、前記引き込み装置Ｂと一体化されており、該吊車１８の本体部から戸尻側へ延びた杆体４０の内部に組み込まれており、該杆体４０の戸尻端に設けた転動車４１が前記レール１０内を移動して姿勢を保つようになっている。
【００３０】
ここで、前記作動距離Ｌは、前記レール１０内に固定したトリガー４２の位置で決定される。全閉状態から引戸１を開いていくと、該トリガー４２に係止した前記引き込み装置Ｂの作動部が変位し、該引き込み装置Ｂの引張りコイルばねを引き伸ばして弾性力を蓄積し、前記トリガー４２に対して所定距離（作動距離Ｌ）だけ移動した後、前記作動部がトリガー４２から外れて杆体４０の適所に係止し、引張りコイルばねに弾性力を蓄積した状態を維持して引戸１が開放される。そして、前記引戸１を閉じる際には、引戸１が閉止方向へ移動して、前記トリガー４２の位置に作動部が来ると、該作動部は杆体４０から外れると同時に前記トリガー４２に係止し、前記引張りコイルばねの蓄積弾性力をトリガー４２に支点として開放し、引戸１を全閉状態まで閉止動作を支援する。
【００３１】
引戸１の閉止支援という意味では、前記自閉装置Ａと引き込み装置Ｂは、負荷が切れ目無く引戸１に作用する必要がある。そのため、前記作動距離Ｌより非作動距離Ｄを短く設定し、前記自閉装置Ａと引き込み装置Ｂの負荷が重なる区間を設けた。しかし、併用区間は、出来るだけ短い方が初期開力を小さくする上で有利である。そのため、本実施形態では、前記作動距離Ｌを１１７ｍｍ、前記非作動距離Ｄを１１０ｍｍと設定したが、誤差を考慮して実用的には、[作動距離Ｌ]−[非作動距離Ｄ]≦１０ｍｍとなるように設定することが好ましい。
【００３２】
前記引戸１の開閉動作時における前記自閉装置Ａと引き込み装置Ｂ及び遅延機構Ｃの作用について、図５〜図１０に基づいて簡単に説明する。先ず、全閉状態から引戸１を開く際に、引き込み装置Ｂに閉止方向への弾性力を蓄積するが、引戸１は非作動距離Ｄの区間では自閉装置Ａの負荷のかかり始めを遅延機構Ｃによって遅らせることができるので、この非作動距離Ｄだけ開く間にある程度加速が付く。引戸１の慣性力を利用することで引き込み装置Ｂと自閉装置Ａの負荷が重なった開力の重い区間（非作動距離Ｄと作動距離Ｌの間の区間）を通過させることができ、その後は自閉装置Ａの負荷だけになるので、使用者の感覚として重く感じさせないようにすることができる。一方、全開状態若しくは途中の開状態から引戸１を閉じる際には、引戸１の把手１６から手を離せば、自閉装置Ａによる一定の閉止力によって引戸１は閉止方向へ自動的に移動するが、引き込み装置Ｂが作動した直後に自閉装置Ａの閉止力が作用しなくなるので、引き込み装置Ｂの蓄積弾性力だけでゆっくりと全閉状態まで閉じることができる。
【００３３】
図１２及び図１３は、前記引戸枠２に対して壁面パネル５の連結方向を直角に設定したレイアウトである。図１２は、前記戸先側枠６を支柱１７の代わりに幅の狭い連結支柱４３を介して壁面パネル５の端部カバー４４に直角に連結した構造である。図１３は、前記戸尻側枠７と壁面パネル５を、それぞれコーナー支柱４５に連結支柱４３を介して直角に連結した構造である。
【符号の説明】
【００３４】
Ａ  自閉装置、
Ｂ  引き込み装置、
Ｃ  遅延機構、
Ｄ  非作動距離、
Ｌ  作動距離。
１  引戸、              ２  引戸枠、
３  戸袋パネル、        ４  欄間パネル、
５  壁面パネル、        ６  戸先側枠、
７  戸尻側枠、          ８  上枠、
９  空間、              １０  レール、
１１  縦枠、            １２  縦枠、
１３  上部枠、          １４  下部枠、
１５  ガラス板、        １６  把手、
１７  支柱、            １８  吊車、
１９  凹溝、            ２０  ガイドローラ、
２１  ガラス板、        ２２  地レール部材、
２３  縦枠部材、        ２４  戸当り部材、
２５  接合溝、          ２６  クッション部材、
２７  連係部材、        ２８  ガイド溝、
２９  作動ピン、        ３０  作動部、
３１  下面板、          ３２  長孔、
３３  スライド部材、    ３４  連結孔、
３５  取付台座、        ３６  ブッシュ、
３６Ａ  軸部、          ３６Ｂ  フランジ部、
３７  取付ネジ、        ３８  定荷重巻きバネ、
３９  ワイヤー、        ４０  杆体、
４１  転動車、          ４２  トリガー、
４３  連結支柱、        ４４  端部カバー、
４５  コーナー支柱、
Ｆ  床面、
Ｓ  天井。
【図１】
2018131769.tif 000003
【図２】
2018131769.tif 000004
【図３】
2018131769.tif 000005
【図４】
2018131769.tif 000006
【図５】
2018131769.tif 000007
【図６】
2018131769.tif 000008
【図７】
2018131769.tif 000009
【図８】
2018131769.tif 000010
【図９】
2018131769.tif 000011
【図１０】
2018131769.tif 000012
【図１１】
2018131769.tif 000013
【図１２】
2018131769.tif 000014
【図１３】
2018131769.tif 000015